(57)【要約】【課題】  既存の電気通信ケーブルを効率よく収納することができ、光ファイバケーブルの敷設が必要な場合に敷設を容易におこなうことのできるパイプケーブルを提供すること。【解決手段】  可撓性を有する材質で形成される合成樹脂製の管に軸方向にスリットを設けてなる第１の管２Ａ（１１）と、可撓性を有する材質で形成される合成樹脂製の第２の管２Ｂ（１２）とを一体に形成する。【選択図】  図  １
2005323480.tif 000002
【特許請求の範囲】
【請求項１】
可撓性を有する材質で形成される合成樹脂製の管に軸方向にスリットを設けてなる第１の管と、可撓性を有する材質で形成される合成樹脂製の第２の管とを一体に形成したことを特徴とするパイプケーブル。
【請求項２】
可撓性を有する材質で形成される合成樹脂製の管に軸方向にスリットを設けてなる第１の管と、可撓性を有する材質で形成される合成樹脂製の第２の管とを備え、Ｓ字フックで一体に固定してなるパイプケーブル。
【請求項３】
前記第１の管には、同軸ケーブル、電話ケーブル、ＬＡＮ用ケーブルを収納し、第２の管には、光ファイバを収納するようにしたものである請求項１又は２に記載のパイプケーブル。
【請求項４】
可撓性を有する材質で形成される合成樹脂製の管に軸方向にスリットを設け、該管内に既存のケーブルを収納すると共に光ファイバ増設用のパイプを設けて形成したことを特徴とするパイプケーブル。
【請求項５】
可撓性を有する材質で形成される合成樹脂製の管に軸方向にスリットを設けてなる第１の管を把持する第１把持部と、可撓性を有する材質で形成される合成樹脂製の第２の管を把持する第２把持部とを有し、前記第１把持部と前記第２把持部とを連結する連結部を備え、前記連結部に断面Ｃ字状のケーブル収納部を設けたことを特徴とするパイプケーブル用接続治具。
【発明の詳細な説明】
【技術分野】
【０００１】
本発明は、住宅内に配線する合成樹脂管（ＣＤ管）に係り、特に住宅内配線の光化に適したパイプケーブル及びパイプケーブル用接続治具に関する。
【背景技術】
【０００２】
最近の電気通信技術の進歩は、住宅内に電源線の敷設の他、各種電気通信用のケーブルが敷設されるに至っている。このような電気通信ケーブルには、電話ケーブル、ＬＡＮ用ケーブル等があり、これらの電気通信ケーブルは、外的衝撃に弱く、破損し易いためパイプ状に形成された合成樹脂管（ＣＤ管）に収納して配線することが増加している。また、このようにパイプ状に形成された合成樹脂管（ＣＤ管）内に電話ケーブル、ＬＡＮ用ケーブル等を収納すると、光ファイバが必要なときに、引き替えが可能であるという利点を有している。
【０００３】
しかしながら、工事費のコストダウンの要求により、現在は合成樹脂管（ＣＤ管）を使わずに電話ケーブル、ＬＡＮ用ケーブルをそのまま配線することも行われている。この場合、各ケーブルが剥き出しになっており、釘、ステップルなどによりケーブルが傷つけられ、本来の性能がでない。
【０００４】
この種の合成樹脂管（ＣＤ管）として、コルゲートの波形の条方向を周方向とした合成樹脂製コルゲート管を利用した配線の束を保持して保護する配線管が提案されている（例えば、特許文献１参照。）。この特許文献１は、図７に示されるように蛇腹状に形成されるパイプからなる合成樹脂製のコルゲート管（ＣＤ管）で製作した配線管である。すなわち、パイプケーブル４０は、軸方向に直行するように内部に所定間隔で凹部４１が形成されており、外部には、所定間隔で凸部４２が形成されている。
【特許文献１】特開平６−２４５３４７号公報（第３頁  第１図）
【発明の開示】
【発明が解決しようとする課題】
【０００５】
しかし、特許文献１のように１つのＣＤ管（合成樹脂製のコルゲート管）内に電話ケーブル、ＬＡＮ用ケーブルを配線している場合、これらＣＤ管内に収納されたケーブルの他に光ファイバが必要になった場合、電話ケーブル、ＬＡＮ用ケーブルが配線してある中にさらに光ファイバを追い張り（配線）しようとすると、ＣＤ管内のスペースが小さいため難しく、また、現在使用している電話ケーブルを取り除くこともできないという問題がある。そこで、このような増新設が生じる場合に備えて、電話ケーブル、ＬＡＮ用ケーブルの入ったＣＤ管とは別に、空のＣＤ管を配線しておくことがある。
【０００６】
この通信用ケーブルの入ったＣＤ管とは別に、空のＣＤ管を配線して２本のＣＤ管を設ける場合、別々独立したＣＤ管を２本用いると配線コストが上がる。そこで、２本のＣＤ管を配線する配線コストを下げるために、従来より図６に示される如き２つのＣＤ管を繋げて２連のＣＤ管として構成した２連ＣＤ管５０が提案されている。この図６に図示の２連ＣＤ管５０は、２つのパイプケーブル４０、４０を有し、この２つのパイプケーブル４０、４０は、連結部４３によって連結されている。この２連ＣＤ管５０の一方のパイプケーブル４０には、電話ケーブル４４、ＬＡＮ用ケーブル４５が挿入されている。また、他方のパイプケーブル４０には、光ファイバを通線するため、空の状態になっている。
【０００７】
このように電話ケーブル４４やＬＡＮ用ケーブル４５を収納するのにＣＤ管を使うと、電話ケーブル４４やＬＡＮ用ケーブル４５などのケーブルを挿入するのに端末から挿入しなければならず、より多くのケーブルを挿入することができない。したがって、ＣＤ管の内断面積のわりに、収納できるケーブル本数が少ないという問題がある。
【０００８】
しかし、一方では、住宅内に設けられるコンセントは、各部屋毎にテレビ、電話、ＬＡＮ用のコンセントが一体となった情報用コンセントが主流となっており、必要なケーブル本数は増える方向にある。したがって、ＣＤ管内に収納できないケーブルは、ステップルなどで止めるか、もう１本ＣＤ管を敷設する必要があるなど、配線上のコストアップは避けられないものとなっている。
【０００９】
また、ＴＶ放送のデジタル化といった多様化（地上波デジタル、ＢＳデジタル、１１０度ＣＳ）に伴い、同軸ケーブルが増え、現状の配管サイズでは、収容し切らないという問題を有している。
【００１０】
本発明の目的は、既存の電気通信ケーブルを効率よく収納することができ、光ファイバケーブルの敷設が必要な場合に敷設を容易におこなうことのできるパイプケーブルを提供することにある。
【００１１】
本発明の他の目的は、既存の電気通信ケーブルを効率よく収納することができ、ケーブルの増設が必要な場合に、容易に増設でき、ケーブル全体の外径を小さくでき、狭いところへの配線を容易にすることのできるパイプケーブルを提供することにある。
【００１２】
本発明のさらに他の目的は、既存の電気通信ケーブルを効率よく収納でき、光ファイバケーブルの敷設が必要な場合に敷設を容易に行うことができ、収納するケーブルの本数が増加して、ＣＤ管内に収容できない場合でもケーブルをＣＤ管に収容することのできるパイプケーブル用接続治具を提供することにある。
【課題を解決するための手段】
【００１３】
請求項１に記載の本発明に係るパイプケーブルは、可撓性を有する材質で形成される合成樹脂製の管に軸方向にスリットを設けてなる第１の管と、可撓性を有する材質で形成される合成樹脂製の第２の管とを一体に形成して構成したものである。
【００１４】
請求項２に記載の本発明に係るパイプケーブルは、可撓性を有する材質で形成される合成樹脂製の管に軸方向にスリットを設けてなる第１の管と、可撓性を有する材質で形成される合成樹脂製の第２の管とを備え、Ｓ字フックで一体に固定して構成したものである。
【００１５】
請求項３に記載の本発明に係るパイプケーブルは、第１の管に、同軸ケーブル、電話ケーブル、ＬＡＮ用ケーブルを収納し、第２の管に、光ファイバを収納するようにして構成したものである。
【００１６】
請求項４に記載の本発明に係るパイプケーブルは、可撓性を有する材質で形成される合成樹脂製の管に軸方向にスリットを設け、該管内に既存のケーブルを収納すると共に光ファイバ増設用のパイプを設けて構成したものである。
【００１７】
請求項５に記載の本発明に係るパイプケーブル用接続治具は、可撓性を有する材質で形成される合成樹脂製の管に軸方向にスリットを設けてなる第１の管を把持する第１把持部と、可撓性を有する材質で形成される合成樹脂製の第２の管を把持する第２把持部とを有し、第１把持部と第２把持部とを連結する連結部を備え、連結部に断面Ｃ字状のケーブル収納部を設けて構成したものである。
【発明の効果】
【００１８】
請求項１に記載の発明によれば、既存の電気通信ケーブルを効率よく収納することができ、光ファイバケーブルの敷設が必要な場合に敷設を容易に行うことができる。
【００１９】
請求項２に記載の発明によれば、既存の電気通信ケーブルを効率よく収納することができ、光ファイバケーブルの敷設が必要な場合に敷設を容易に行うことができる。
【００２０】
請求項３に記載の発明によれば、電気通信ケーブルを仕分けして効率よく収納することができ、光ファイバケーブルの敷設が必要な場合に容易に敷設することができる。
【００２１】
請求項４に記載の発明によれば、既存の電気通信ケーブルを効率よく収納することができ、ケーブルの増設が必要な場合に、容易に増設でき、ケーブル全体の外径を小さくでき、狭いところへの配線を容易にすることができる。
【００２２】
請求項５に記載の発明によれば、既存の電気通信ケーブルを効率よく収納でき、光ファイバケーブルの敷設が必要な場合に敷設を容易に行うことができ、収納するケーブルの本数が増加して、ＣＤ管内に収容できない場合でもケーブルをＣＤ管に収容することができる。
【発明を実施するための最良の形態】
【００２３】
本発明に係るパイプケーブルは、可撓性を有する材質で形成される合成樹脂製の管に軸方向にスリットを設けてなる第１の管と、可撓性を有する材質で形成される合成樹脂製の第２の管とを一体に形成することによって実現する。
【００２４】
また、本発明に係るパイプケーブルは、可撓性を有する材質で形成される合成樹脂製の管に軸方向にスリットを設け、該管内に既存のケーブルを収納すると共に光ファイバ増設用のパイプを設けて形成することによって実現する。
【００２５】
さらに、本発明に係るパイプケーブル用接続治具は、可撓性を有する材質で形成される合成樹脂製の管に軸方向にスリットを設けてなる第１の管を把持する第１把持部と、可撓性を有する材質で形成される合成樹脂製の第２の管を把持する第２把持部とを有し、第１把持部と第２把持部とを連結する連結部を設け、連結部に断面Ｃ字状のケーブル収納部を設けることによって実現する。
【実施例１】
【００２６】
以下、本発明の実施例について説明する。
【００２７】
図１には、本発明に係るパイプケーブルの第１の実施例が示されている。
【００２８】
図１において、パイプケーブル１は、中空の筒状の第１の管２Ａと中空の筒状の第２の管２Ｂとを一体成形で構成してあり、第１の管２Ａと第２の管２Ｂとは、接合部３によって分離できないように構成されている。この第１の管２Ａと第２の管２Ｂは、共にポリオレフィン、ポリエチレン、ポリ塩化ビニル等の合成樹脂材料によって形成されている。そして、この第１の管２Ａと第２の管２Ｂは、合成樹脂製で蛇腹状に形成されたコルゲート管で構成すると、より高い可撓性を持たせることができる。
【００２９】
そして、第１の管２Ａは、可撓性を有する材質（例えば、合成樹脂）で形成される管で、軸方向にスリット４が形成されて構成されている。この第１の管２Ａは、合成樹脂製のシームレス管で構成することもできる。この第１の管２Ａには、同軸ケーブル５、ＬＡＮ用ケーブル６、電話ケーブル７が収納されている。すなわち、この第１の管２Ａは、ケーブル（同軸ケーブル、電話ケーブル、ＬＡＮ用ケーブル等）を複数本収納する配管で、軸方向に形成されているスリット４を利用して、その部分を裂き、ケーブル（同軸ケーブル、電話ケーブル、ＬＡＮ用ケーブル等）を挿着する。このスリット４入り配管（第１の管２Ａ）の目的は、ケーブル（同軸ケーブル、電話ケーブル、ＬＡＮ用ケーブル等）の保護であり、将来、ケーブルの通線を行わない管である。
【００３０】
ＬＡＮ用ケーブル６は、要求される伝送特性が高く、外力により特性の低下が生じやすいので、スリット入り配管（第１の管２Ａ）内に収納することが望ましい。また、ＶＶＦなどの電力ケーブルは、安全及び誘導防止のため、通信ケーブル（同軸、電話用、ＬＡＮ用）と一体化としない方が望ましい。
【００３１】
また、第２の管２Ｂは、可撓性を有する材質（例えば、合成樹脂）でパイプ状に形成されている。この第２の管２Ｂは、合成樹脂製のシームレス管で構成することもできる。この第２の管２Ｂは、光ファイバ増設用の配管で、将来、光ファイバを通線するため、スリットが形成されていないＣＤ管である。
【００３２】
したがって、本実施例によれば、ケーブルを収納する配管（第１の管２Ａ）は、スリット４の部分を裂き開いて既存のケーブル（同軸ケーブル、電話ケーブル、ＬＡＮ用ケーブル等）を挿着し、後から通線するということを考慮しないため、通線のための空間を考慮しなくて済み、より多くのケーブルを収納することができる。
【００３３】
また、本実施例によれば、ケーブルを収納する配管（第１の管２Ａ）は、スリット４の部分を裂き開いて既存のケーブル（同軸ケーブル、電話ケーブル、ＬＡＮ用ケーブル等）を挿着するため、管の長さにケーブル挿着が左右されないので、長さの制限無くケーブルを収納することができる。
【００３４】
さらに、本実施例によれば、ケーブルを収納する配管（第１の管２Ａ）は、その形成材料が柔らかい材料で構成されているため、ケーブルを収納するのに手間が掛からない。
【００３５】
またさらに、本実施例によれば、２つの配管が一体成形で構成してあり、第１の管２Ａと第２の管２Ｂとが接合部３で分離できないように固着されているため、配線後のステップル、釘によって傷付ける心配がない。
【実施例２】
【００３６】
図２には、本発明に係るパイプケーブルの第２の実施例が示されている。
【００３７】
図２において、パイプケーブル１０は、中空の筒状の第１の管１１と中空の筒状の第２の管１２とを用いて構成してあり、第１の管１１と第２の管１２とは、Ｓ字フック１３によって併設させて固定されている。この第１の管１１と第２の管１２は、共にポリオレフィン、ポリエチレン、ポリ塩化ビニル等の合成樹脂材料によって形成されている。そして、この第１の管１１と第２の管１２は、合成樹脂製で蛇腹状に形成されたコルゲート管によって構成すると、より高い可撓性を持たせることができる。
【００３８】
そして、第１の管１１は、可撓性を有する材質（例えば、合成樹脂）で形成される管で、軸方向にスリット１４が形成されて構成されている。この第１の管１１は、合成樹脂製のシームレス管で構成することもできる。この第１の管１１には、同軸ケーブル１５、ＬＡＮ用ケーブル１６、電話ケーブル１７が収納されている。すなわち、この第１の管１１は、ケーブル（同軸ケーブル、電話ケーブル、ＬＡＮ用ケーブル等）を複数本収納する配管で、軸方向に形成されているスリット１４を利用して、その部分を裂き、ケーブル（同軸ケーブル、電話ケーブル、ＬＡＮ用ケーブル等）を挿着する。このスリット１４入り配管（第１の管１１）の目的は、ケーブル（同軸ケーブル、電話ケーブル、ＬＡＮ用ケーブル等）の保護であり、将来、ケーブルの通線を行わないＣＤ管である。
【００３９】
ＬＡＮ用ケーブル１６は、要求される伝送特性が高く、外力により特性の低下が生じやすいので、スリット入り配管（第１の管１１）内に収納することが望ましい。また、ＶＶＦなどの電力ケーブルは、安全及び誘導防止のため、通信ケーブル（同軸、電話用、ＬＡＮ用）と一体化としない方が望ましい。
【００４０】
また、第２の管１２は、可撓性を有する材質（例えば、合成樹脂）でパイプ状に形成されている。この第２の管１２は、合成樹脂製のシームレス管で構成することもできる。この第２の管１２は、光ファイバ増設用の配管で、将来、光ファイバを通線するため、スリットが形成されていないＣＤ管である。この第２の管１２には、硬質ポリエチレンなどの摩擦が小さく、硬い材料が適している。
【００４１】
本実施例においては、第１の管１１と第２の管１２をＳ字フック１３によって固定するようになっているが、ビニルテープ、インシュロックなどで止める方法でも可能である。
【００４２】
したがって、本実施例によれば、ケーブルを収納する配管（第１の管１１）は、スリット１４の部分を裂き開いて既存のケーブル（同軸ケーブル、電話ケーブル、ＬＡＮ用ケーブル等）を挿着し、後から通線するということを考慮しないため、通線のための空間を考慮しなくて済み、より多くのケーブルを収納することができる。
【００４３】
また、本実施例によれば、ケーブルを収納する配管（第１の管１１）は、スリット１４の部分を裂き開いて既存のケーブル（同軸ケーブル、電話ケーブル、ＬＡＮ用ケーブル等）を挿着するため、管の長さにケーブル挿着が左右されないので、長さの制限無くケーブルを収納することができる。
【００４４】
さらに、本実施例によれば、ケーブルを収納する配管（第１の管１１）は、その形成材料が柔らかい材料で構成されているため、ケーブルを収納するのに手間が掛からない。
【００４５】
またさらに、本実施例によれば、２つの配管をＳ字フック１３で一体に固定してあるため、配線後のステップル、釘によって傷付ける心配がない。
【実施例３】
【００４６】
図３には、本発明に係るパイプケーブルの第３の実施例が示されている。
【００４７】
図３において、パイプケーブル３０は、中空の筒状の大径の管３１を有している。この管３１は、ポリオレフィン、ポリエチレン、ポリ塩化ビニル等の合成樹脂材料で形成されている。そして、この管３１は、合成樹脂製で蛇腹状に形成したコルゲート管で構成すると、より高い可撓性を持たせることができる。
【００４８】
そして、管３１は、可撓性を有する材質（例えば、合成樹脂）で形成される管で、軸方向にスリット３２が形成されて構成されている。この管３１は、合成樹脂製のシームレス管で構成することもできる。この管３１内には、光ファイバを増設した際に、光ファイバを収納するため、現在何のケーブルも収納されていない空の小径で可撓性を有する材質によって形成される合成樹脂製のシームレス管で構成される光ファイバ増設用のパイプ３３が予め収納されている。
【００４９】
また、この管３１内には、光ファイバ増設用のパイプ３３の他、同軸ケーブル３４、ＬＡＮ用ケーブル３５、電話ケーブル３６が収納されている。すなわち、この管３１は、ケーブル（同軸ケーブル、電話ケーブル、ＬＡＮ用ケーブル等）を複数本収納すると共に光ファイバを増設した際に、光ファイバを収納するための空の光ファイバ増設用のパイプ３３を収納する配管で、軸方向に形成されているスリット３２を利用して、その部分を裂き、既存のケーブル（同軸ケーブル、電話ケーブル、ＬＡＮ用ケーブル等）を挿着する。このスリット３２入り配管（管３１）の目的は、既存のケーブル（同軸ケーブル、電話ケーブル、ＬＡＮ用ケーブル等）の保護であり、将来、光ファイバ増設用のパイプ３３に光ファイバケーブルの通線を行う管である。
【００５０】
ＬＡＮ用ケーブル３５は、要求される伝送特性が高く、外力により特性の低下が生じやすいので、スリット入り配管（管３１）内に収納することが望ましい。また、ＶＶＦなどの電力ケーブルは、安全及び誘導防止のため、通信ケーブル（同軸、電話用、ＬＡＮ用）と一体化としない方が望ましい。
【００５１】
また、光ファイバ増設用のパイプ３３は、可撓性を有する材質（例えば、合成樹脂）でパイプ状に形成されている。この光ファイバ増設用のパイプ３３は、合成樹脂製のシームレス管で構成することもできる。この光ファイバ増設用のパイプ３３は、光ファイバ増設用の配管で、将来、光ファイバを通線するため、スリットが形成されていないＣＤ管である。
【００５２】
したがって、本実施例によれば、ケーブルを収納する配管（管３１）は、スリット３２の部分を裂き開いて既存のケーブル（同軸ケーブル、電話ケーブル、ＬＡＮ用ケーブル等）を挿着し、後から通線するということを考慮しないため、通線のための空間を考慮しなくて済み、より多くのケーブルを収納することができる。
【００５３】
また、本実施例によれば、ケーブルを収納する配管（管３１）は、スリット３２の部分を裂き開いて既存のケーブル（同軸ケーブル、電話ケーブル、ＬＡＮ用ケーブル等）を挿着するため、管の長さにケーブル挿着が左右されないので、長さの制限無くケーブルを収納することができる。
【００５４】
さらに、本実施例によれば、ケーブルを収納する配管（管３１）は、その形成材料が柔らかい材料で構成されているため、ケーブルを収納するのに手間かが掛からない。
【実施例４】
【００５５】
図４、図５には、本発明に係るパイプケーブル用接続治具の一実施例が示されている。
【００５６】
図４において、パイプケーブル用接続治具２０は、第１の管１１を把持する第１把持部２１と、第２の管１２を把持する第２把持部２２を有している。この第１把持部２１と第２把持部２２は、第１把持部２１と第２把持部２２を繋ぐ連結部２３によって固着されている。この第１把持部２１は、可撓性を有する材質で形成される合成樹脂製の筒状に形成され、連結部２３の固着側に対向する位置に軸方向にスリット２４が設けられている。このスリット２４は、第１の管１１を挿脱着する際に裂き開くためのものである。また、第２把持部２２は、可撓性を有する材質で形成される合成樹脂製の筒状に形成され、連結部２３の固着側に対向する位置に軸方向にスリット２５が設けられている。このスリット２５は、第２の管１２を挿脱着する際に裂き開くためのものである。
【００５７】
連結部２３は、断面矩形状の帯状に形成されており、第１把持部２１と第２把持部２２の取付位置と直交する面のそれぞれに、ケーブル収納部２６、２７が設けられている。このケーブル収納部２６は、断面Ｃ字状の形成され、ケーブルを収納する際に、ケーブルを出し入れするスリット２８が形成されている。また、このケーブル収納部２７は、断面Ｃ字状の形成され、ケーブルを収納する際に、ケーブルを出し入れするスリット２９が形成されている。
【００５８】
このケーブル収納部２６、２７のケーブル取付部分の内径は、具体的には、同軸ケーブル（Ｓ−５Ｃ−ＦＢ：外径７．７ｍｍ）外径の−２ｍｍ〜−１ｍｍ、つまり５．７ｍｍ〜６．７ｍｍに形成する。住宅内で使用される電話用ケーブルの外径は、同軸ケーブルの外径よりも小さいことが多いので、電話用ケーブルのケーブル収納部２６、２７への取り付け部分には、ビニルテープを巻いて、外径を５．７ｍｍ〜６．７ｍｍとすることで対応することができる。
【００５９】
このパイプケーブル用接続治具２０は、敷設時に離れないような硬い材質が適している。また、パイプケーブル用接続治具２０は、敷設時の摩擦を小さくするために、配管と同じ硬質ポリエチレンなどが適している。さらに、パイプケーブル用接続治具２０は、第１の管１１、第２の管１２の長手方向（軸方向）に一定のピッチ（１ｍなど）で止めるのでよい。
【００６０】
また、第１の管１１と第２の管１２は、共にポリオレフィン、ポリエチレン、ポリ塩化ビニル等の合成樹脂材料によって形成されている。 そして、この第１の管１１と第２の管１２は、合成樹脂製で蛇腹状に形成したコルゲート管で構成すると、より高い可撓性を持たせることができる。さらに、第１の管１１は、可撓性を有する材質（合成樹脂）で形成される管で、軸方向にスリット１４が設けられている。この第１の管１１は、合成樹脂製のシームレス管で構成することもできる。この第１の管１１には、同軸ケーブル１５、ＬＡＮ用ケーブル１６、電話ケーブル１７が収納されている。すなわち、この第１の管１１は、ケーブル（同軸ケーブル、電話ケーブル、ＬＡＮ用ケーブル等）を複数本収納する配管で、軸方向に形成されているスリット１４を利用して、その部分を裂き、ケーブル（同軸ケーブル、電話ケーブル、ＬＡＮ用ケーブル等）を挿着する。このスリット１４入り配管（第１の管１１）の目的は、ケーブル（同軸ケーブル、電話ケーブル、ＬＡＮ用ケーブル等）の保護であり、将来、ケーブルの通線を行わないＣＤ管である。
【００６１】
ＬＡＮ用ケーブル１６は、要求される伝送特性が高く、外力により特性の低下が生じやすいので、スリット入り配管（第１の管１１）内に収納することが望ましい。また、ＶＶＦなどの電力ケーブルは、安全及び誘導防止のため、通信ケーブル（同軸、電話用、ＬＡＮ用）と一体化としない方が望ましい。
【００６２】
また、第２の管１２は、可撓性を有する材質（例えば、合成樹脂）でパイプ状に形成されている。この第２の管１２は、合成樹脂製のシームレス管で構成することもできる。この第２の管１２は、光ファイバ増設用の配管で、将来、光ファイバを通線するため、スリットが形成されていないＣＤ管である。この第２の管１２には、硬質ポリエチレンなどの摩擦が小さく、硬い材料が適している。
【００６３】
現状の第１の管１１の配管サイズでは、ケーブル３本を収納するのがスペース的に限界であり、ＴＶ放送のデジタル化と多様化（地上波デジタル、ＢＳデジタル、１１０度ＣＳ）に伴い、電話ケーブル１８、同軸ケーブル１９が増加しても、図５に図示の如く、第１把持部２１に電話ケーブル１８を、第２の把持部２２に同軸ケーブル１９を収納し、第１の管１１の配管サイズを変えることなく、第１の管１１の配管数を増やすことなく、ケーブル数増加に対応することができる。
【００６４】
したがって、本実施例によれば、ケーブルを収納する配管（第１の管１１）は、スリット１４の部分を裂き開いて既存のケーブル（同軸ケーブル、電話ケーブル、ＬＡＮ用ケーブル等）を挿着し、後から通線するということを考慮しないため、通線のための空間を考慮しなくて済み、より多くのケーブルを収納することができる。
【００６５】
また、本実施例によれば、ケーブルを収納する配管（第１の管１１）は、スリット１４の部分を裂き開いて既存のケーブル（同軸ケーブル、電話ケーブル、ＬＡＮ用ケーブル等）を挿着するため、管の長さにケーブル挿着が左右されないので、長さの制限無くケーブルを収納することができる。
【００６６】
さらに、本実施例によれば、ケーブルを収納する配管（第１の管１１）は、その形成材料が柔らかい材料で構成されているため、ケーブルを収納するのに手間かが掛からない。
【００６７】
またさらに、本実施例によれば、２つの配管をＳ字フック１３で一体に固定してあるため、配線後のステップル、釘によって傷付ける心配がない。
【００６８】
さらにまた、現状の第１の管１１の配管サイズでは、ケーブル３本を収納するのがスペース的に限界であり、ＴＶ放送のデジタル化と多様化（地上波デジタル、ＢＳデジタル、１１０度ＣＳ）に伴い、同軸ケーブルが増加し、２本増えても、本実施例によれば、十分に対応することができる。
【図面の簡単な説明】
【００６９】
【図１】本発明に係るパイプケーブルの第１の実施例を示す断面図。
【図２】本発明に係るパイプケーブルの第２の実施例を示す断面図。
【図３】本発明に係るパイプケーブルの第３の実施例を示す断面図。
【図４】本発明に係るパイプケーブル用接続治具の実施例を示す断面図。
【図５】本発明に係るパイプケーブル用接続治具にケーブルを装着した状態を示す断面図。
【図６】従来の２つのＣＤ管を繋げた２連ＣＤ管の断面図。
【図７】図６に図示の２連ＣＤ管の側面図。
【符号の説明】
【００７０】
１，１０………………パイプケーブル
２Ａ，１１……………第１の管
２Ｂ，１２……………第２の管
３………………………接合部
４，１４………………スリット
５，１５………………同軸ケーブル
６，１６………………ＬＡＮ用ケーブル
７，１７………………電話ケーブル
１３……………………Ｓ字フック
１８……………………電話ケーブル
１９……………………同軸ケーブル
２０……………………パイプケーブル用接続治具
２１……………………第１把持部
２２……………………第２把持部
２３……………………連結部
２４，２５……………スリット
２６，２７……………ケーブル収納部
２８，２９……………スリット
３０……………………パイプケーブル
３１……………………管
３２……………………スリット
３３……………………光ファイバ増設用のパイプ
３４……………………同軸ケーブル
３５……………………ＬＡＮ用ケーブル
３６……………………電話ケーブル
【図１】
2005323480.tif 000003
【図２】
2005323480.tif 000004
【図３】
2005323480.tif 000005
【図４】
2005323480.tif 000006
【図５】
2005323480.tif 000007
【図６】
2005323480.tif 000008
【図７】
2005323480.tif 000009